(57)【要約】【課題】エレベータの動作を制御する主制御装置６ａと臨時に装着される情報端末１３や各呼び登録装置７，９等の各子装置との間における伝送路８，１０を用いたサイクリック伝送を効率的に実施する。【解決手段】各子装置１３，７，９に対して複数のアドレスを設定し、主制御装置６ａは伝送路８，１０に対して各アドレスをサイクリックに出力し、各子装置は伝送路に自己のアドレスが出力されると送信すべき情報２２を伝送路へ出力し、主制御装置はアドレス出力から許容時間経過しても前記情報が受信できないとき、当該子装置に対する残りのアドレスの出力を省略して次の子装置に対するアドレスを出力する。【選択図】    図３
2008042570.tif 000002
【特許請求の範囲】
【請求項１】
建屋の各階のエレベータホール及びエレベータのかご内に設けられ操作入力された各呼びを登録する呼び登録装置を含む複数の子装置と、この各子装置に伝送路を介して接続され、前記登録された各呼びに対して前記かごを移動制御する主制御装置との間で前記呼びを含む各種情報の送受信を行うエレベータの伝送システムにおいて、
前記各子装置に対して複数のアドレスを設定し、前記主制御装置は前記伝送路に対して各アドレスをサイクリックに出力し、前記各子装置は前記伝送路に自己のアドレスが出力されると送信すべき情報を伝送路へ出力し、前記主制御装置はアドレス出力から許容時間経過しても前記情報が受信できないとき、当該子装置に対する残りのアドレスの出力を省略して次の子装置に対するアドレスを出力することを特徴とするエレベータの伝送システム。
【請求項２】
建屋の各階のエレベータホール及びエレベータのかご内に設けられ操作入力された各呼びを登録する呼び登録装置を含む複数の子装置と、この各子装置に伝送路を介して接続され、前記登録された各呼びに対して前記かごを移動制御する主制御装置との間で前記呼びを含む各種情報の送受信を行うエレベータの伝送システムにおいて、
前記複数の子装置に、前記伝送路に対して着脱自在に設けられ、前記伝送路に装着された状態で前記主制御装置との間で情報交換を行う情報端末が含まれ、
前記各子装置に対して複数のアドレスを設定し、前記主制御装置は前記伝送路に対して各アドレスをサイクリックに出力し、前記各子装置は前記伝送路に自己のアドレスが出力されると送信すべき情報を伝送路へ出力し、前記主制御装置は前記情報端末のアドレスを出力してから許容時間経過しても前記情報が受信できないとき、当該情報端末に対する残りのアドレスの出力を省略して次の子装置に対するアドレスを出力することを特徴とするエレベータの伝送システム。
【請求項３】
建屋の各階のエレベータホール及びエレベータのかご内に設けられ操作入力された各呼びを登録する呼び登録装置を含む複数の子装置と、この各子装置に伝送路を介して接続され、前記登録された各呼びに対して前記かごを移動制御する主制御装置との間で前記呼びを含む各種情報の送受信を行うエレベータの伝送システムにおいて、
前記複数の子装置に、前記伝送路に対して着脱自在に設けられ、前記伝送路に装着された状態で前記主制御装置との間で情報交換を行う情報端末が含まれ、
前記各子装置に対してアドレスを設定し、前記主制御装置は前記伝送路に対して各アドレスをサイクリックに出力し、前記各子装置は前記伝送路に自己のアドレスが出力されると送信すべき情報を伝送路へ出力し、前記主制御装置は前記情報端末から情報を受信すると当該情報端末に対して追加のアドレスを設定して当該アドレスを前記伝送路に出力することを特徴とするエレベータの伝送システム。
【請求項４】
建屋の各階のエレベータホール及びエレベータのかご内に設けられ操作入力された各呼びを登録する呼び登録装置を含む複数の子装置と、この各子装置に伝送路を介して接続され、前記登録された各呼びに対して前記かごを移動制御する主制御装置との間で前記呼びを含む各種情報の送受信を行うエレベータの伝送システムにおいて、
前記各子装置に対して情報受信用のアドレスと情報送信用のアドレスと含む少なくとも複数のアドレスを設定し、前記主制御装置は前記伝送路に対して情報受信用のアドレスと情報送信用のアドレス及び情報をサイクリックに出力し、前記各子装置は前記伝送路に自己の情報受信用のアドレスが出力されると送信すべき情報を伝送路へ出力し、前記伝送路に自己の情報送信用のアドレスが出力されるとこのアドレスに続く情報を自己宛の情報として受信し、前記主制御装置は情報受信用のアドレス出力から許容時間経過しても情報が受信できないとき、当該子装置に対する残りのアドレス及び情報の出力を省略して次の子装置に対する情報受信用のアドレスを出力することを特徴とするエレベータの伝送システム。
【発明の詳細な説明】
【技術分野】
【０００１】
本発明は、ビル等の建屋に設置されたエレベータシステムに係わり、特に、エレベータのかごを移動制御する主制御装置と呼び登録装置等の子装置との間の情報交換を行うためのエレベータの伝送システムに関する。
【背景技術】
【０００２】
ビル等の建屋に設置されたエレベータシステムにおいては、図１８に示すように、内部にエレベータのかご１が上下移動する昇降路２の上側の機械室内に、かご１をロープ３を介して上下移動させる電動機を含む巻上機４と、この巻上機４を駆動する駆動部５と、主制御装置６とが設けられている。
【０００３】
さらに、例えば８階建ての建屋の場合、１階（１Ｆ）から８階（８Ｆ）までの各階のエレベータホールに設けられた乗場呼び登録装置７で登録された各乗場呼びは伝送路８を介して主制御装置６へ入力される。また、かご１内に設けられたかご呼び登録装置９で登録されたかご呼びは伝送路１０を介して主制御装置６へ入力される。なお、主制御装置６及び駆動部５は制御盤１２内に収納されている。主制御装置６及び駆動部５には外部電源１１から電力が供給される。
【０００４】
各乗場呼び登録装置７には、図１９（ａ）に示すように、上方向と下方向の各方向ボタン７ａ、７ｂと、現在のエレベータのかご１の移動方向と現在位置（階）とを表示する表示器７ｃが組込まれている。また、かご呼び登録装置９には、図１９（ｂ）に示すように、行先階を指定する８個の行先ボタン９ａ、各行先ボタン９ａ内に組込まれた９個のボタンランプ９ｂ、及び自己のかご１の移動方向と現在位置（階）とを表示する表示器９ｃが組込まれている。
【０００５】
そして、主制御装置６は伝送路８、１０を介して乗場呼び又はかご呼びが入力されると、かご１の現在位置（階）を検出して、かご１を乗場呼び又はかご呼びの指定する目的階への移動指令を駆動部５へ送出する。駆動部５は巻上機４の電動機を駆動して、かご１を目的階へ移動させる。
【０００６】
なお、主制御装置６と各乗場呼び登録装置７との間の情報送受信、及び主制御装置６とかご呼び登録装置９との間の情報送受信を、サイクリック伝送方式で行うエレベータ伝送システムが特許文献１に提示されている。
【０００７】
すなわち、１Ｆ〜８Ｆの各乗場呼び登録装置７は、各方向ボタン７ａ、７ｂ操作で登録された自己階を指定した「乗場呼び」を主制御装置６へ送出するとともに、主制御装置６から表示器７ｃに表示するエレベータの移動方向及びかご位置の情報が入力される。また、かご呼び登録装置９は、行先ボタン９ａで登録された行先階を指定した「かご呼び」を主制御装置６へ送出するとともに、主制御装置６から表示器９ｃに表示するエレベータの移動方向及びかご位置の情報、「かご呼び」で登録された階のボタンランプ９ｂを点灯する情報が入力される。
【０００８】
サイクリック伝送方式においては、図２０に示すように、主制御装置６は、１階（１Ｆ）から８階（８Ｆ）までの各乗場呼び登録装置７に対して送受信する各情報（ボタン操作、エレベータ位置）、かご呼び登録装置９に対して送受信する各情報（ボタン操作、エレベータ位置、点灯ボタン等）に対して個別のアドレスＡＤ1、ＡＤ2、…、ＡＤ19を設定する。
【０００９】
そして、図２１（ａ）に示すように、伝送路８、１０に対して例えば２００μｓ等の一定時間間隔ＴSでサイクリックに出力する。なお、主制御装置６は、各乗場呼び登録装置７やかご呼び登録装置９の子装置に情報（出力データ）を送信するための送信用のアドレスＡＤ2、ＡＤ4、…、ＡＤ19の次に、送信すべき各情報(エレベータ位置Ｄ2)、(エレベータ位置Ｄ4)、…、（点灯ボタンＤ19）を伝送路８、１０に出力する。なお、各乗場呼び登録装置７やかご呼び登録装置９の子装置から乗場呼びやかご呼び等（ボタン操作）の情報（入力データ）を受信するためのアドレスＡＤ1、ＡＤ3、…を受信用のアドレスと定義する。
【００１０】
伝送路８、１０に接続された各乗場呼び登録装置７やかご呼び登録装置９の各子装置は、伝送路８、１０の自己装置に設定された受信用のアドレスが出力されると、主制御装置６へ送信すべき情報（入力データ、ボタン操作）を伝送路８、１０へ出力する。さらに、各子装置は、伝送路８、１０の自己装置に設定された送信用のアドレスが出力されるとこのアドレスに続く情報を自己宛の情報（出力データ）として受信して例えば表示器に表示する。
【００１１】
例えば、主制御装置６から伝送路８に対して、アドレスＡＤ1を出力すると、１階の乗場呼び登録装置７から各方向ボタン７ａ、７ｂの操作有無で示される乗場呼びの情報（データＤ1）が伝送路８へ出力され、主制御装置６がその情報（データＤ1）を１階の乗場呼び登録装置７から入力された乗場呼びの有無を示す情報（データＤ1）として取込み、データ処理を実施する。
【００１２】
さらに、主制御装置６から伝送路８に対して、アドレスＡＤ2及びそれに続く情報（データＤ2）を出力すると、アドレスＡＤ2が設定されている１階の乗場呼び登録装置７が、この情報（データＤ2）を取込み、表示器７ｃにエレベータのかご１の現在位置（階）として表示する。
【００１３】
このようなエレベータの伝送システムにおいて、例えば、２階の乗場呼び登録装置７が故障している場合や、２階にエレベータを停止しない状態にして、２階の乗場呼び登録装置７の動作を停止している場合は、図２１（ｂ）に示すように、２階の乗場呼び登録装置７に設定されている受信用のアドレスＡＤ3を伝総路８に出力しても、２階の乗場呼び登録装置７から情報（データＤ3）が出力されない。この場合、受信用のアドレスＡＤ3の出力から例えば、３００μｓの許容時間ＴE経過した時点で次のアドレスＡＤ4を出力する。
【００１４】
このように、各子装置が正常状態においては、各子装置と主制御装置６とは、例えば３，８ｍｓ等の一定周期Ｔ（＝３，８ｍｓ）でサイクリックに情報伝送を実施する。
【特許文献１】特開２００４―１２００４３号公報
【発明の開示】
【発明が解決しようとする課題】
【００１５】
しかしながら上述したようなエレベータの伝送システムにおいてもまだ改良すべき次のような課題があった。
【００１６】
図２２に示すエレベータシステムにおいて、エレベータのかご１を円滑に目的階へ移動させるための調整データを含む多数の設定データが主制御装置６内に記憶されている。保守員は、このエレベータシステムの定期的な保守点検時において、これらの設定データを確認したり、調整、変更するための情報端末１３を伝送路８に臨時に装着する。
【００１７】
そして、保守員は、この情報端末１３を操作して、主制御装置６内の設定データを確認したり、調整、変更するようにしている。
【００１８】
この場合、伝送路８に臨時に装着される情報端末１３も、この伝送路８、１０に接続されている各乗場呼び登録装置７、かご呼び登録装置９と同様に、図２３に示すように、複数のアドレスＡＤ20、ＡＤ21、ＡＤ22、ＡＤ23が設定されている。したがって、この情報端末１３も各乗場呼び登録装置７、かご呼び登録装置９と同一条件で制御装置６との間で情報交換が実施される。
【００１９】
しかし、この情報端末１３の機能上、この情報端末１３と主制御装置６との間では多数の情報が送受信されるので、図２３に示すように、乗場呼び登録装置７、かご呼び登録装置９に比較して倍以上のアドレスＡＤ20〜ＡＤ23が設定されている。しかも、４個のアドレスのうち、先頭から３個のアドレスＡＤ20〜ＡＤ22は情報端末１３からの各情報（データＤ20〜Ｄ22）を受信するための受信用のアドレスである。
【００２０】
したがって、上述したエレベータシステムに対する保守点検作業が終了して、情報端末１３を伝送路８から取外した状態においては、主制御装置６は情報端末１３の各アドレスＡＤ20〜ＡＤ22を伝送路８へ出力したとしても、情報端末１３から各情報（データＤ20〜Ｄ22）が出力されることはないので、主制御装置６は２番目以降の各アドレスＡＤ21、ＡＤ22、ＡＤ23は、通常の時間間隔ＴS（＝２００μｓ）より１００μｓだけ長い許容時間ＴE（＝３００μｓ）の間隔で出力することになる。
【００２１】
実際には取外して、装着されていない情報端末１３に設定されている多数のアドレスを伝送路に通常の時間間隔ＴSより長い許容時間ＴEの間隔で出力することは、結果として、この伝送路８、１０に接続されている各乗場呼び登録装置７及びかご呼び登録装置９と主制御装置６との間における情報伝送の周期Ｔが長くなり、主制御装置６は各乗場呼び登録装置７及びかご呼び登録装置９に対する情報収集に遅れが生じる懸念がある。
【００２２】
なお、上述した問題は、例えば特定階にエレベータを停止しない状態にして、特定階の乗場呼び登録装置７の動作を停止させている場合においても生じる。このことは、このエレベータの利用者にとっては、各乗場呼び登録装置７、かご呼び登録装置９を操作してから、実際にエレベータのかごが移動開始するまでの時間が長くかかり、応答性が低下したと感じる。
【００２３】
本発明はこのような事情に鑑みてなされたものであり、情報端末を含む各子装置が伝送路から取外されていた場合や動作停止されていた場合においても、残りの各子装置と主制御装置との間における情報伝送の周期が大幅に長くなることが防止でき、エレベータの応答性を向上できるエレベータの伝送システムを提供することを目的とする。
【課題を解決するための手段】
【００２４】
本発明は、建屋の各階のエレベータホール及びエレベータのかご内に設けられ操作入力された各呼びを登録する呼び登録装置を含む複数の子装置と、この各子装置に伝送路を介して接続され、登録された各呼びに対してかごを移動制御する主制御装置との間で呼びを含む各種情報の送受信を行うエレベータの伝送システムである。
【００２５】
そして、このエレベータの伝送システムにおいては、各子装置に対して複数のアドレスを設定し、主制御装置は伝送路に対して各アドレスをサイクリックに出力し、各子装置は前記伝送路に自己のアドレスが出力されると送信すべき情報を伝送路へ出力し、主制御装置はアドレス出力から許容時間経過しても情報が受信できないとき、当該子装置に対する残りのアドレスの出力を省略して次の子装置に対するアドレスを出力する。
【００２６】
このように構成されたエレベータの伝送システムにおいては、何らかの要因にて、伝送路から取外したり、動作停止状態の子装置が発生したとしても、この子装置に対して設定された複数のアドレスのうちの先頭のアドレスのみが伝送路へ送出され、残りの各アドレスは出力されないので、残りの各子装置と主制御装置との間における情報伝送の周期が大幅に長くなることが防止できる。
【００２７】
また、別の発明に係わるエレベータの伝送システムにおいては、伝送路に対して着脱自在に設けられ、伝送路に装着された状態で主制御装置との間で情報交換を行う情報端末を複数の子装置として用いる。そして、この情報端末を含む各子装置に対して複数のアドレスを設定し、主制御装置は伝送路に対して各アドレスをサイクリックに出力し、各子装置は前記伝送路に自己のアドレスが出力されると送信すべき情報を伝送路へ出力し、主制御装置は情報端末のアドレスを出力してから許容時間経過しても情報が受信できないとき、当該情報端末に対する残りのアドレスの出力を省略して次の子装置に対するアドレスを出力する。
【００２８】
このように構成されたエレベータの伝送システムにおいては、情報端末が伝送路から取外されている状態においては、主制御装置は、情報端末に対して設定された複数のアドレスのうちの先頭のアドレスのみが伝送路へ送出され、残りの各アドレスは出力されないので、前述した発明と同様に、残りの各子装置と主制御装置との間における情報伝送の周期が大幅に長くなることが防止できる。
【００２９】
また、別の発明に係わるエレベータの伝送システムにおいては、伝送路に対して着脱自在に設けられ、伝送路に装着された状態で主制御装置との間で情報交換を行う情報端末を複数の子装置として用いる。そして、情報端末を含む各子装置に対してアドレスを設定し、主制御装置は伝送路に対して各アドレスをサイクリックに出力し、各子装置は伝送路に自己のアドレスが出力されると送信すべき情報を伝送路へ出力し、主制御装置は情報端末から情報を受信すると当該情報端末に対して追加のアドレスを設定して当該アドレスを前記伝送路に出力するようにしている。
【００３０】
このように構成されたエレベータの伝送システムにおいては、当初は情報端末に、例えば、一つのアドレスのみが設定されているので、たとえ、この情報端末が伝送路から取外された状態であっても、一つのアドレスに対する一つの許容時間が加算されるのみであるので、残りの各子装置と主制御装置との間における情報伝送の周期が大幅に長くなることが防止できる。そして、情報端末が伝送路に装着されると、この情報端末に追加のアドレスが自動設定されるので、情報端末として主制御装置との間で十分な情報交換が実施できる。
【００３１】
また、別の発明に係わるエレベータの伝送システムにおいては、各子装置に対して情報受信用のアドレスと情報送信用のアドレスと含む少なくとも複数のアドレスを設定し、主制御装置は伝送路に対して情報受信用のアドレスと情報送信用のアドレス及び情報をサイクリックに出力し、各子装置は伝送路に自己の情報受信用のアドレスが出力されると送信すべき情報を伝送路へ出力し、伝送路に自己の情報送信用のアドレスが出力されるとこのアドレスに続く情報を自己宛の情報として受信し、主制御装置は情報受信用のアドレス出力から許容時間経過しても情報が受信できないとき、当該子装置に対する残りのアドレス及び情報の出力を省略して次の子装置に対する情報受信用のアドレスを出力するようにしている。
【００３２】
このように構成されたエレベータの伝送システムにおいては、何らかの要因にて、伝送路から取外したり、動作停止状態の子装置が発生した場合には、当該子装置に設定された情報送信用のアドレス及び当該子装置に送信すべき情報も遮断されるので、伝送路に無駄なアドレス、無駄な情報が伝送されることが防止される。
【発明の効果】
【００３３】
本発明においては、主制御装置との間でサイクリックに情報伝送を行う各子装置が伝送路から取外されていた場合や動作停止されていた場合においても、残りの各子装置と主制御装置との間における情報伝送の周期が大幅に長くなることが防止でき、エレベータの応答性を向上できる。
【発明を実施するための最良の形態】
【００３４】
以下、本発明の各実施形態を図面を用いて説明する。
【００３５】
（第１実施形態）
図１は本発明の第１実施形態のエレベータの伝送システムが組込まれたエレベータシステムの概略構成を示す模式図である。図１８、図２０に示す従来のエレベータシステムと同一部分には同一符号を付して重複部分の詳細説明を省略する。
【００３６】
昇降路２の上側の機械室内にかご１を、ロープ３を介して上下移動させる電動機を含む巻上機４と、この巻上機４を駆動する駆動部５と、主制御装置６ａとが設けられている。さらに、各階のエレベータホールには、図１９（ａ）に示す乗場呼び登録装置７が設けられ、各乗場呼び登録装置７で登録された各乗場呼びは伝送路８を介して主制御装置６ａへ入力される。また、かご１内には、図１９（ｂ）に示すかご呼び登録装置９が設けられ、かご呼び登録装置９で登録されたかご呼びは伝送路１０を介して主制御装置６ａへ入力される。
【００３７】
さらに、伝送路８には、このエレベータシステムの定期的な保守点検時において、主制御装置６ａ内に記憶されている設定データを主制御装置６ａに対して確認したり、調整、変更するための情報端末１３を伝送路８に対して着脱自在に設けられている。
【００３８】
各乗場呼び登録装置７、かご呼び登録装置９、情報端末１３等の各子装置と主制御装置６ａとの情報交換は、伝送路８、１０を介したサイクリック伝送方式で実施される。
【００３９】
図３は、例えばコンピュータで構成された主制御装置６ａの概略構成を示すブロック図である。この主制御装置６ａ内には、呼び割当部２９、かご移動制御部２６、設定データメモリ２７、アドレス・情報対応テーブル２７、各子装置との間でサイクリック伝送方式で情報交換を行う伝送制御部１４、これら各部、メモリ、テーブル間におけるデータの読出し、書込みの中継を行うデータ入出力制御部２８が設けられている。
【００４０】
さらに、各子装置との間でサイクリック伝送方式で情報交換を行う伝送制御部１４内には、アドレス出力順序メモリ１６、出力アドレス読出部１７、アドレス出力部１８、送受信部１９、データ出力部２０、データ抽出部２５が設けられている。
【００４１】
以下各部の具体的構成及び具体的動作を順番に説明していく。
【００４２】
図４に示す、アドレス・情報対応テーブル１５内には、図２０、図２３で説明したように、１階（１Ｆ）から８階（８Ｆ）までの８個の乗場呼び登録装置７、かご呼び登録装置９、情報端末１３の合計１０個の子装置に対してそれぞれ複数づつ設定されたアドレスＡＤ1、ＡＤ2、…、ＡＤ23と該当アドレスが要求する情報（ボタン操作、命令データ、書込位置（読出位置）、書込データ）、該当アドレスの次に各子装置へ送出する情報（エレベータ位置、点灯ボタン、表示データ）が設定されている。
【００４３】
なお、ボタン操作等の各子装置から主制御装置６ａへ送信する情報２２（データＤ1、Ｄ3、Ｄ5、…、Ｄ22）を要求（受信）するためのアドレス（ＡＤ1、ＡＤ3、…ＡＤ22）を受信用のアドレス２１と定義する。また、エレベータ位置等の主制御装置６ａから各子装置へ送信する情報２４（データＤ2、Ｄ4、Ｄ6、…、Ｄ23）を指定（送信）するためのアドレス（ＡＤ2、ＡＤ4、ＡＤ6、…、ＡＤ23）を送信用のアドレス２３と定義する。
【００４４】
例えば、情報端末１３に対しては、３つの受信用のアドレス２１（ＡＤ20、ＡＤ21、ＡＤ22）が設定されており、各受信用のアドレス２１（ＡＤ20、ＡＤ21、ＡＤ22）に対して情報端末１３から書込命令データ（Ｄ20）、書込位置（Ｄ21）、書込データ（Ｄ22）の３つの情報２１が伝送路８へ出力される。さらに、情報端末１３に対して１つの送信用のアドレス２３（ＡＤ23）が設定されており、送信用のアドレス２３（ＡＤ23）に続いて、主制御装置６ａから伝送路８へ表示データＤ23の情報２４が出力される。
【００４５】
伝送制御部１４内に形成されたアドレス出力順序メモリ１６には、図５に示すように、伝送路８、１０へ出力する各アドレスＡＤ1、ＡＤ2、…、ＡＤ23の出力順序を示すアドレス番号Ｎ、各アドレスに対する応答の要否（前述したアドレスの種別）、対象子装置が記憶されている。
【００４６】
出力アドレス読出部１７は、アドレス出力順序メモリ１６に記憶された各アドレスを順番に読出してアドレス出力部１８へ送出する。アドレス出力部１８は、図７（ｃ）に示すように、出力アドレス読出部１７から入力された各アドレスＡＤ1、ＡＤ2、…、ＡＤ23を、送受信部１９を介して伝送路８、１０へ例えば２００μｓ等の一定時間間隔ＴSでサイクリックに出力する。
【００４７】
データ出力部２０は、各アドレスＡＤ1、ＡＤ2、…、ＡＤ23のうち各送信用のアドレス２３（ＡＤ2、ＡＤ4、ＡＤ6、…、ＡＤ23）の次に、例えば、データ入出力部制御部２８を介して、かご移動制御部２６から得たエレベータ位置、設定データメモリ２７から得た設定データ（表示データ）等の各子装置に送信すべき情報２４（データＤ2、Ｄ4、Ｄ6、…、Ｄ23）を伝送路８、１０へ送出する。
【００４８】
データ抽出部２５は、アドレス出力部１８から出力した各アドレスＡＤ1、ＡＤ2、…、ＡＤ23のうちの各受信用のアドレス２１（ＡＤ1、ＡＤ3、…、ＡＤ22）の次に各子装置から送信された、各呼び（ボタン操作）、書込命令データ等の情報２２（データＤ1、Ｄ3、…、Ｄ22）を抽出して、データ入出力制御部２８へ送出する。
【００４９】
データ入出力制御部２８は入力された各呼び（ボタン操作）を呼び割当部２９又はかご移動制御部２６へ送出すると共に、入力された書込命令データを設定データメモリ２７へ送出する。
【００５０】
また、データ抽出部２５は、図７（ｂ）に示すように、受信用のアドレス２１の次に、受信用のアドレス２１を出力してから例えば３００μｓの許容時間ＴE経過しても、受信すべき情報２２（データＤ）が送受信部１９で受信しないと、出力アドレス読出部１７に通知する。
【００５１】
出力アドレス読出部１７は、受信すべき情報２２の送信元の子装置に対する残りのアドレスのアドレス出力順序メモリ１６からの読出しを省略して次の子装置に対するアドレスを読出して、アドレス出力部１８に送出する。
【００５２】
例えば、図７（ｂ）に示すように、情報端末１３に設定された先頭の受信用のアドレス２１（ＡＤ20）の次に、書込命令データ（Ｄ20）が３００μｓの許容時間ＴE経過しても、受信されない場合は、情報端末１３に設定されている他のアドレスＡＤ21、ＡＤ21、ＡＤ22、ＡＤ23、及び表示データＤ23の出力を中止して、次の子装置である１階の乗場呼び登録装置７に対する受信用のアドレス２１（ＡＤ1）を送出する。
【００５３】
設定データメモリ２７内には、エレベータのかご１を円滑に目的階へ移動させるための調整データを含む多数の設定データが記憶されている。そして、データ入出力制御部２８から入力された、データ抽出部２５で抽出された情報端末１３からの書込命令データ（Ｄ20）、書込位置（Ｄ21）、書込データ（Ｄ22）に応じて、設定データの調整、変更を行う。また、データ抽出部２５で読出命令データ（Ｄ20）、読出位置（Ｄ21）が入力された場合は、送信用のアドレス２３（ＡＤ23）に続いて、読出位置（Ｄ21）の設定データを読取り、表示データ（Ｄ23）として、データ入出力制御部２８を経由して、データ出力部２０へ送出する。
【００５４】
呼び割当部２９は、データ抽出部２５で抽出され、データ入出力制御部２８から入力された乗場呼びを最適なエレベータに割当て、割当結果を、データ入出力制御部２８を介して、かご移動制御部２６へ送出する。また、データ入出力制御部２８は、データ抽出部２５から入力されたかご呼び登録装置９からのかご呼びをかご移動制御部２６へ送出する。かご移動制御部２６は、エレベータのかご１を乗場呼びが指定する階、及びかご呼びが指定する階へ移動するための駆動信号を駆動部５へ送出する。その結果、かご１は目的階への移動を開始する。
【００５５】
図２は、伝送路８に着脱自在に設けられた情報端末１３の概略構成を示すブロック図である。この情報端末１３内には、伝送路８を介して主制御装置６ａとサイクリック伝送方式で各種情報交換を実施する伝送制御部３０、自己に設定された各アドレスＡＤ20、ＡＤ21、ＡＤ22、ＡＤ23を記憶するアドレスメモリ３１、保守員の操作にて操作部３２から指定された主制御装置６ａの設定データメモリ２７に記憶された設定データ（表示データＤ23）を伝送路８、伝送制御部３０を介して読取り、読取った設定データ（表示データＤ23）を自己の表示器３４に表示するデータ読取部３３と、保守員の操作にて操作部３２から指定された設定データ書込データ（Ｄ22）を伝送制御部３０、伝送路８を介して主制御装置６ａへ送信し、当該設定データを設定データメモリ２７へ設定させるデータ設定部３５が設けられている。
【００５６】
伝送制御部３０は、伝送路８にアドレスＡＤ20が出力されると書込命令データ（Ｄ20）を伝送路８へ出力し、伝送路８にアドレスＡＤ21が出力されると書込位置（Ｄ21）を伝送路８へ出力し、伝送路８にアドレスＡＤ22が出力されると書込データ（Ｄ22）を伝送路８へ出力し、伝送路８にアドレスＡＤ23が出力されるとこれに続いて伝送路８へ出力される表示データＤ23を取込む。
【００５７】
図６は、主制御装置６ａの全体動作を示す流れ図である。伝送処理が開始されると、アドレス出力順序メモリ１６のアドレス番号Ｎの初期化（Ｎ＝１）行う（ステップＳ１）。アドレス出力順序メモリ１６のアドレス番号ＮのアドレスＡＤを読出して、伝送路８、１０へ送出する（Ｓ２）。出力したアドレスＡＤが子装置から応答が必要な受信用のアドレス２１の場合（Ｓ３）、許容時間ＴE経過するまでに（Ｓ４）、アドレスＡＤで指定されたデータＤが入力すると（Ｓ５）、入力されたデータを呼び入力部２８や設定データメモリ２７等にデータ転送する（Ｓ６）。
【００５８】
そして、アドレス番号Ｎを更新（Ｎ＝Ｎ＋１）して（Ｓ７）、更新後のアドレス番号Ｎがアドレス出力順序メモリ１６の最大アドレス番号Ｎａ（＝２３）を超えていない場合は（Ｓ８）、Ｓ２へ戻り、アドレス出力順序メモリ１６の更新後のアドレス番号ＮのアドレスＡＤを読出して、伝送路８、１０へ送出する。
【００５９】
更新後のアドレス番号Ｎが最大アドレス番号Ｎａ（＝２３）を超えた場合は、Ｓ１へ戻り、アドレス出力順序メモリ１６のアドレス番号Ｎの初期化（Ｎ＝１）行い、アドレス出力順序メモリ１６の各アドレスの出力を再度開始する。
【００６０】
Ｓ４にて、許容時間ＴE経過するまでに、アドレスＡＤで指定されたデータＤが入力しないと、このアドレスＡＤが設定された子装置は、伝送路８、１０に接続されていないか、動作停止状態であるので、アドレス番号Ｎを更新（Ｎ＝Ｎ＋１）して（Ｓ９）、更新後のアドレス番号Ｎがアドレス出力順序メモリ１６の最大アドレス番号Ｎａ（＝２３）を超えていない場合は（Ｓ１０）、アドレス出力順序メモリ１６の更新後のアドレス番号ＮのアドレスＡＤを読出す（Ｓ１１）。そして、この読出したアドレスＡＤが、同一子装置に対するアドレスか否かを判定して（Ｓ１２）、同一子装置に対するアドレスの場合は、Ｓ９へ戻り、アドレス番号Ｎを更新（Ｎ＝Ｎ＋１）する。
【００６１】
この読出したアドレスＡＤが、同一子装置に対するアドレスでなければ、次の子装置に対するアドレスＡＤであるので、このアドレスＡＤを伝送路８、１０へ出力する（Ｓ１３）。そして、Ｓ３へ戻り、出力したアドレスＡＤが子装置から応答が必要な受信用のアドレス２１か否かを判定する。応答が必要ない送信用のアドレス２３の場合には（Ｓ３）、この送信用のアドレス２３にて定まる情報２４（データＤ）を伝送路８、１０へ出力する（Ｓ１４）。その後、アドレス番号Ｎを更新（Ｎ＝Ｎ＋１）する（Ｓ７）。
【００６２】
このように構成された第１実施形態のエレベータの伝送システムにおいて、情報端末１３が伝送路８に装着されている場合における、主制御装置６ａと各子装置と、伝送路８，１０上に出力される各アドレス２１、２３と、各情報２２、２４の状態を図７（ｃ）に示す。この場合、情報端末１３が必要とする合計の時間幅ＴAは、４個のアドレス２１、２３（ＡＤ20、ＡＤ21、ＡＤ22、ＡＤ23）の一定時間間隔ＴS（＝２００μｓ）の４倍とまるので、ＴA＝８００μｓとなる。
【００６３】
次に、情報端末１３を伝送路８から取外した状態を図７（ｂ）に示す。この場合、主制御装置６ａから情報端末１３の先頭の受信用のアドレス２１（ＡＤ20）に対する情報２２（データＤ20）は入力されないので、３００μｓの許容時間ＴE経過に、次の１階の乗場呼び登録装置７のアドレスＡＤ1が出力される。この場合、情報端末１３が必要とする合計の時間幅ＴAは許容時間ＴEの３００μｓとなる（ＴA＝３００μｓ）。
【００６４】
図２２に示す従来の伝送システムにおいて、情報端末１３を伝送路８から取外した状態を図７（ａ）に示す。この場合、情報端末１３に設定されている４個のアドレス２１、２３（ＡＤ20、ＡＤ21、ＡＤ22、ＡＤ23）のうちの３個の受信用のアドレス２１（ＡＤ20、ＡＤ21、ＡＤ22）に対する３個の情報２２（Ｄ20、Ｄ21、Ｄ22）が入力しないので、情報端末１３が必要とする合計の時間幅ＴAは
ＴA＝３００μｓ×３＋２００μ＝１１００μｓ
となる。
【００６５】
このように、本願発明の第１実施形態システムにおいては、情報端末１３を取外した状態で、約３ｍｓ程度の周期Ｔにおいて、従来装置に比較して、８００μｓも時間短縮ができる。したがって、残りの各乗場呼び登録装置７やかご呼び登録装置９と主制御装置６ａとの間における情報伝送の周期Ｔが大幅に長くなることが防止でき、エレベータの利用者にとってエレベータの応答性が低下することはない。
【００６６】
さらに、図７（ｂ）に示すように、例えば２階等の特定の階にエレベータが停止しないように、特定の階（２階）の乗場呼び登録装置７の動作を停止状態にした場合においても、この２階の乗場呼び登録装置７に対して設定された複数のアドレスＡＤ3、ＡＤ4のうちの先頭のアドレスＡＤ3のみが伝送路８へ送出され、残りのアドレスＡＤ4は出力されない。したがって、このような場合においても、上述したように、残りの各子装置と主制御装置６ａとの間における情報伝送の周期Ｔが大幅に長くなることが防止できる。
【００６７】
（第２実施形態）
図８は本発明の第２実施形態のエレベータの伝送システムが組込まれたエレベータシステムにおける主制御装置６ｂの概略構成を示すブロック図である。図３に示す第１実施形態の主制御装置６ａと同一部分には同一部分には同一符号を付して重複部分の詳細説明を省略する。
【００６８】
この第２実施形態のエレベータの伝送システムの主制御装置６ｂにおけるデータ抽出部２５は、図３に示す第１実施形態のデータ抽出部２５と同様に、図１０（ａ）に示すように、受信用のアドレス２１の次に、受信用のアドレス２１を出力してから例えば３００μｓの許容時間ＴE経過しても、受信すべき情報２２が送受信部１９で受信しないと、出力アドレス読出部１７ａに通知する。
【００６９】
出力アドレス読出部１７は、受信すべき情報２２の送信元の子装置が情報端末１３の場合には、この情報端末１３に対する残りの３つのアドレスＡＤ21、ＡＤ22、ＡＤ23のアドレス出力順序メモリ１６からの読出しを省略して次の１階の乗場呼び登録装置７の先頭のアドレスＡＤ1を読出して、アドレス出力部１８に送出する。なお、受信すべき情報２２の送信元の子装置が情報端末１３以外の乗場呼び登録装置７、かご呼び登録装置９の場合は、この乗場呼び登録装置７、かご呼び登録装置９の２番目のアドレスを読出してアドレス出力部１８へ送出する。
【００７０】
図９は、主制御装置６ｂの全体動作を示す流れ図である。伝送処理が開始されると、アドレス出力順序メモリ１６のアドレス番号Ｎの初期化（Ｎ＝１）行う（ステップＱ１）。アドレス出力順序メモリ１６のアドレス番号ＮのアドレスＡＤを読出して、伝送路８、１０へ送出する（Ｑ２）。出力したアドレスＡＤが子装置から応答が必要な受信用のアドレス２１の場合（Ｑ３）、許容時間ＴE経過するまでに（Ｑ４）、アドレスＡＤで指定されたデータＤが入力すると（Ｑ５）、入力されたデータを呼び入力部２８や設定データメモリ２７等にデータ転送する（Ｑ６）。
【００７１】
そして、アドレス番号Ｎを更新（Ｎ＝Ｎ＋１）して（Ｑ７）、更新後のアドレス番号Ｎがアドレス出力順序メモリ１６の最大アドレス番号Ｎａ（＝２３）を超えていない場合は（Ｑ８）、Ｑ２へ戻り、アドレス出力順序メモリ１６の更新後のアドレス番号ＮのアドレスＡＤを読出して、伝送路８、１０へ送出する。
【００７２】
更新後のアドレス番号Ｎが最大アドレス番号Ｎａ（＝２３）を超えた場合は、Ｑ１へ戻り、アドレス出力順序メモリ１６のアドレス番号Ｎの初期化（Ｎ＝１）を行い、アドレス出力順序メモリ１６の各アドレスの出力を再度開始する。
【００７３】
Ｑ４にて、許容時間ＴE経過するまでに、アドレスＡＤで指定されたデータＤが入力しないと、このアドレスＡＤが設定された子装置の種別を調べる。子装置が情報端末１３の場合は（Ｑ９）、次の子装置における先頭のアドレスＡＤのアドレス番号Ｎを求める（Ｑ１０）。そして、アドレス出力順序メモリ１６から該当アドレス番号ＮのアドレスＡＤを読出して、アドレス出力部１８へ送出する（Ｑ１１）。そして、Ｑ３へ戻り、出力したアドレスＡＤが子装置から応答が必要な受信用のアドレス２１か否かを判定する。
【００７４】
応答が必要ない送信用のアドレス２３の場合には（Ｑ３）、この送信用のアドレス２３にて定まる情報２４（データＤ）を伝送路８、１０へ出力する（Ｑ１２）。その後、アドレス番号Ｎを更新（Ｎ＝Ｎ＋１）する（Ｑ７）。
【００７５】
このように構成された第２実施形態のエレベータの伝送システムにおいては、情報端末１３が伝送路８に装着されている場合においては、図１０（ｂ）に示すように、第１実施形態と同様に、情報端末１３が必要とする合計の時間幅ＴAは、４個のアドレス２１、２３（ＡＤ20、ＡＤ21、ＡＤ22、ＡＤ23）の一定時間間隔ＴS（＝２００μｓ）の４倍となるので、ＴA＝８００μｓとなる。
【００７６】
また、情報端末１３を伝送路８から取外した状態においては、図１０（ａ）に示ように、情報端末１３の先頭アドレスＡＤ20の出力から３００μｓの許容時間ＴE経過に、次の１階の乗場呼び登録装置７のアドレスＡＤ1が出力される。この場合、情報端末１３が必要とする合計の時間幅ＴAは許容時間ＴEの３００μｓとなる（ＴA＝３００μｓ）。したがって、上述した第１実施形態とほぼ同じ作用効果を奏することができる。
【００７７】
なお、この第２実施形態においては、情報端末１３以外の乗場呼び登録装置７やかご呼び登録装置９は原則として伝送路８、１０から取外すことはないので、たとえ、先頭の受信用のアドレス２１に対する情報２２（データＤ）が受信できなかったとしても、該当乗場呼び登録装置７、かご呼び登録装置９の２回目以降のアドレス２１、２３及び情報（データ）を出力するようにしている。すなわち、２回目以降の受信用アドレス２１に対して、乗場呼び登録装置７、かご呼び登録装置９から情報（データ）が応答される場合もあることを想定している。
【００７８】
（第３実施形態）
図１１は本発明の第３実施形態のエレベータの伝送システムが組込まれたエレベータシステムにおける主制御装置６ｃの概略構成を示すブロック図である。図３に示す第１実施形態の主制御装置６ａと同一部分には同一部分には同一符号を付して重複部分の詳細説明を省略する。
【００７９】
この第３実施形態の伝送制御部１４ｂ内に形成されたアドレス・情報対応テーブル１５ａ内には、図１２に示すように、１階（１Ｆ）から８階（８Ｆ）までの８個の乗場呼び登録装置７、かご呼び登録装置９、情報端末１３の合計１０個の子装置に対してそれぞれ設定されたアドレスＡＤ1、ＡＤ2、…、ＡＤ20と該当アドレスが要求する情報（ボタン操作、命令データ）、該当アドレスの次に各子装置へ送出する情報（エレベータ位置、点灯ボタン）が設定されている。
【００８０】
但し、保守点検作業時のみ、伝送路８に装着される情報端末１３においては、先頭の一つの受信用のアドレス２１（ＡＤ20）、及び該当アドレスが要求する情報２２（ボタン操作データＤ20）のみが設定されている。
【００８１】
そして、実際の保守点検時に必要な、残り２個の受信用のアドレス２１（ＡＤ21、ＡＤ22）、対応する書込位置（Ｄ21）、書込データ（Ｄ22）の２つの情報２１、及び、１個の送信用のアドレス２３（ＡＤ23）、表示データ（Ｄ23）の情報２４は、図１３に示す追加アドレス・情報対応テーブル１５ｂに記憶されている。そして、この追加アドレス・情報対応テーブル１５ｂに記憶されている情報端末13の３つの残りのアドレスＡＤ21、ＡＤ22、ＡＤ23にアドレス番号Ｍが付されている。
したがって、アドレス出力順序メモリ１６ａ内には、アドレス・情報対応テーブル１５ａ内に設定されている２０個の各アドレスＡＤ1、ＡＤ2、…、ＡＤ20と、出力順序を示すアドレス番号Ｎと、各アドレスＡＤ1、ＡＤ2、…、ＡＤ20が応答の有無と、所属する乗場呼び登録装置７、かご呼び登録装置９、情報端末１３の合計１０個の子装置が設定されている。
【００８２】
図１１の伝送制御部１４ｂ内の出力アドレス読出部１７ｂは、アドレス出力順序メモリ１６ａに記憶された各アドレスを順番に読出してアドレス出力部１８へ送出する。さらに、出力アドレス読出部１７ｂは、データ抽出部２５で抽出（受信した）した情報（データＤ20）の場合、追加アドレス・情報対応テーブル１５ｂに記憶されているＭ個のアドレスＡＤ21、ＡＤ22、ＡＤ23を順番に読出アドレス出力部１８へ送出する。
【００８３】
また、データ抽出部２５は、受信用のアドレス２１を出力してから例えば３００μｓの許容時間ＴE経過しても、受信すべき情報２２が送受信部１９で受信しないと、出力アドレス読出部１７ｂに通知する。出力アドレス読出部１７は、受信すべき情報２２の送信元の子装置が装着されていないか、動作停止状態であるとして、アドレス出力順序メモリ１６ａの次のアドレスを読出して、アドレス出力部１８に送出する。
【００８４】
図１５、図１６は、主制御装置６ｃの全体動作を示す流れ図である。伝送処理が開始されると、アドレス出力順序メモリ１６ａのアドレス番号Ｎの初期化（Ｎ＝１）を行う（ステップＲ１）。アドレス出力順序メモリ１６ａのアドレス番号ＮのアドレスＡＤを読出して、伝送路８、１０へ送出する（Ｒ２）。出力したアドレスＡＤが子装置から応答が必要な受信用のアドレス２１の場合（Ｒ３）、許容時間ＴE経過するまでに（Ｒ４）、アドレスＡＤで指定されたデータＤが入力すると（Ｒ５）、入力されたデータを呼び入力部２８や設定データメモリ２７等にデータ転送する（Ｒ６）。
【００８５】
入力されたデータが情報端末１３からの命令データＤ20でなければ（Ｒ７）、アドレス番号Ｎを更新（Ｎ＝Ｎ＋１）して（Ｒ８）、更新後のアドレス番号Ｎがアドレス出力順序メモリ１６ａの最大アドレス番号Ｎｂ（＝２０）を超えていない場合は（Ｒ９）、Ｒ２へ戻り、アドレス出力順序メモリ１６ａの更新後のアドレス番号ＮのアドレスＡＤを読出して、伝送路８、１０へ送出する。
【００８６】
更新後のアドレス番号Ｎが最大アドレス番号Ｎｂ（＝２０）を超えた場合は、Ｒ１へ戻り、アドレス出力順序メモリ１６ａのアドレス番号Ｎの初期化（Ｎ＝１）行い、アドレス出力順序メモリ１６ａの各アドレスの出力を再度開始する。
【００８７】
Ｒ４にて、許容時間ＴE経過するまでに、アドレスＡＤで指定されたデータＤが入力しないと、受信すべき情報２２の送信元の子装置が装着されていないか、動作停止状態であるとして、アドレス番号Ｎを更新（Ｎ＝Ｎ＋１）して（Ｒ８）、更新後のアドレス番号Ｎのアドレスを伝送路８、１０へ出力する。
【００８８】
出力したアドレスが、応答が必要ない送信用のアドレス２３の場合には（Ｒ３）、この送信用のアドレス２３にて定まる情報２４（データＤ）を伝送路８、１０へ出力する（Ｒ１０）。その後、アドレス番号Ｎを更新（Ｎ＝Ｎ＋１）する（Ｒ８）。
【００８９】
Ｒ７にて、入力されたデータが情報端末１３からの命令データＤ20の場合は、伝送路８に情報端末１３が装着されているので、図１６に示す追加アドレス出力処理のサブルーチン（Ｒ１１）を実施する。
【００９０】
すなわち、図１６において、追加アドレス・情報対応テーブル１５ｂのアドレス番号Ｍの初期化（Ｍ＝１）を行う（Ｒ１２）。追加アドレス・情報対応テーブル１５ｂのアドレス番号ＭのアドレスＡＤを読出して、伝送路８、１０へ送出する（Ｒ１３）。出力したアドレスＡＤが子情報端末１３から応答が必要な受信用のアドレス２１の場合（Ｒ１４）、アドレスＡＤで指定されたデータＤが入力すると（Ｒ１５）、入力された書込位置データＤ21や、書込データＤ22を設定データメモリ２７にデータ転送する（Ｒ１６）。
【００９１】
次に、アドレス番号Ｍを更新（Ｍ＝Ｍ＋１）して（Ｒ１７）、更新後のアドレス番号Ｍが追加アドレス・情報対応テーブル１５ｂの最大アドレス番号Ｍｃ（＝３）を超えていない場合は（Ｒ１８）、Ｒ１３へ戻り、追加アドレス・情報対応テーブル１５ｂの更新後のアドレス番号ＭのアドレスＡＤを読出して、伝送路８、１０へ送出する。
【００９２】
更新後のアドレス番号Ｍが最大アドレス番号Ｍｃ（＝３）を超えた場合は、装着された情報端末１３に対するこの通信周期Ｔにおける情報交換のサブルーチンは終了したので、図１５のＲ８へ戻る。
【００９３】
出力したアドレスＡＤが、子情報端末１３から応答の必要のない受信用のアドレス２１の場合（Ｒ１４）、この受信用のアドレス２１にて定まる情報２２（書込データＤ22）を伝送路８、１０へ出力する（Ｒ１９）。その後、アドレス番号Ｎを更新（Ｍ＝Ｍ＋１）する（Ｒ１７）。
【００９４】
このように構成された第３実施形態のエレベータの伝送システムにおいては、アドレス・情報対応テーブル１５ａ内には、情報端末１３のアドレスとして、命令データＤ20を要求する先頭の受信用のアドレスAD20のみが設定されている。そして、残りのアドレスは、追加アドレス・情報対応テーブル１５ｂに設定されている。
【００９５】
したがって、情報端末１３が伝送路８に装着されていない、保守点検を実施していない通常状態においては、図１７（ａ）に示ように、情報端末１３の先頭アドレスＡＤ20の出力から３００μｓの許容時間ＴE経過に、次の１階の乗場呼び登録装置７のアドレスＡＤ1が出力される。この場合、情報端末１３が必要とする合計の時間幅ＴAは許容時間ＴEの３００μｓとなる（ＴA＝３００μｓ）。
【００９６】
なお、保守点検を実施している期間は情報端末１３が伝送路８に装着されているので、図１７（ｂ）に示すように、第１実施形態と同様に、情報端末１３が必要とする合計の時間幅ＴAは、４個のアドレス２１、２３（ＡＤ20、ＡＤ21、ＡＤ22、ＡＤ23）の一定時間間隔ＴS（＝２００μｓ）の４倍となるので、ＴA＝８００μｓとなる。
【００９７】
このように、保守点検を実施していない通常状態において、情報端末１３が必要とする合計の時間幅ＴAを保守点検を実施している期間に比較して、大幅に短縮できるので、上述した第１、第２実施形態とほぼ同じ作用効果を奏することができる。
【図面の簡単な説明】
【００９８】
【図１】本発明の第１実施形態に係わるエレベータの伝送システムが組込まれたエレベータシステムの倍略構成図
【図２】同実施形態伝送システムにおける情報端末の概略構成を示すブロック図
【図３】同実施形態伝送システムにおける主制御装置の概略構成を示すブロック図
【図４】同実施形態伝送システムにおける主制御装置に形成されたアドレス・情報対応テーブルの記憶内容を示す図
【図５】同実施形態伝送システムにおける主制御装置に形成されたアドレス出力順序メモリの記憶内容を示す図
【図６】同実施形態伝送システムにおける主制御装置の動作を示す流れ図
【図７】同実施形態伝送システムの動作を示すタイムチャート
【図８】本発明の第２実施形態に係わるエレベータの伝送システムにおける主制御装置の概略構成を示すブロック図
【図９】同実施形態伝送システムにおける主制御装置の動作を示す流れ図
【図１０】同実施形態伝送システムの動作を示すタイムチャート
【図１１】本発明の第３実施形態に係わるエレベータの伝送システムにおける主制御装置の概略構成を示すブロック図
【図１２】同実施形態伝送システムにおける主制御装置に形成されたアドレス・情報対応テーブルの記憶内容を示す図
【図１３】同実施形態伝送システムにおける主制御装置に形成された追加アドレス・情報対応テーブルの記憶内容を示す図
【図１４】同実施形態伝送システムにおける主制御装置に形成されたアドレス出力順序メモリの記憶内容を示す図
【図１５】同実施形態伝送システムにおける主制御装置の動作を示す流れ図
【図１６】同じく同実施形態伝送システムにおける主制御装置の動作を示す流れ図
【図１７】同実施形態伝送システムの動作を示すタイムチャート
【図１８】従来のエレベータの伝送システムが組込まれたエレベータシステムの倍略構成図
【図１９】エレベータシステムにおける乗場呼び登録装置及びかご呼び登録装置の外観図
【図２０】従来のエレベータの伝送システムにおける各子装置に設定されるアドレスを示す図
【図２１】同従来の伝送システムの動作を示すタイムチャート
【図２２】従来の別のエレベータの伝送システムが組込まれたエレベータシステムの倍略構成図
【図２３】情報端末に設定された各アドレスを示す図
【符号の説明】
【００９９】
１…かご、４…巻上機、６，６ａ，６ｂ，６ｃ…主制御装置、７…乗場呼び登録装置、８，１０…伝送路、９…かご呼び登録装置、１３…情報端末、１４，１４ａ，１４ｂ，３０…伝送制御部、１５…アドレス・情報対応テーブル、１５ａ…追加アドレス・情報対応テーブル、１６，１６ａ…アドレス出力順序メモリ、１７，１７ａ，１７ｂ…出力アドレス読み出部、１８…アドレス出力部、１９…送受信部、２０…データ出力部、２１…受信用のアドレス、２２，２４…情報、２３…送信用のアドレス、２５…データ抽出部、２６…かご移動制御部、２７…設定データメモリ、２８…データ入出力制御部、２９…呼び割当部、３０…アドレスメモリ、３２…表示部、３３…データ読取部、３４…表示部、３５…データ設定部
【図１】
2008042570.tif 000003
【図２】
2008042570.tif 000004
【図３】
2008042570.tif 000005
【図４】
2008042570.tif 000006
【図５】
2008042570.tif 000007
【図６】
2008042570.tif 000008
【図７】
2008042570.tif 000009
【図８】
2008042570.tif 000010
【図９】
2008042570.tif 000011
【図１０】
2008042570.tif 000012
【図１１】
2008042570.tif 000013
【図１２】
2008042570.tif 000014
【図１３】
2008042570.tif 000015
【図１４】
2008042570.tif 000016
【図１５】
2008042570.tif 000017
【図１６】
2008042570.tif 000018
【図１７】
2008042570.tif 000019
【図１８】
2008042570.tif 000020
【図１９】
2008042570.tif 000021
【図２０】
2008042570.tif 000022
【図２１】
2008042570.tif 000023
【図２２】
2008042570.tif 000024
【図２３】
2008042570.tif 000025